(57)【要約】      （修正有）【課題】装飾体が接触により脱落したり、破損したり、あるいは接触した物を傷つけたりしないようにした鞄を提供する。【解決手段】上層壁１と下層壁２を積層し、上層壁１に孔３を設け、孔３から下層壁２に接着させた装飾体４が見えるようにした部分を有する。上層壁１の上面より装飾体４が突出しないようにする。下層壁２を透明とし、下層壁２の下側に反射板を当接させ、孔３から入射した光が反射板で反射するようにする。下層壁２の下側に、反射板を挿脱可能なポケットを設ける。また、上層壁１が、皮革素材からなる表側生地１ａと、繊維素材からなる裏側生地１ｂからなる。【選択図】図２
0003159637.tif 000002
【実用新案登録請求の範囲】
【請求項１】
上層壁（１）と下層壁（２）を積層し、上層壁（１）に孔（３）を設け、前記孔（３）から下層壁（２）に接着させた装飾体（４）が見えるようにした部分を有することを特徴とする鞄。
【請求項２】
上層壁（１）の上面より装飾体（４）が突出しないようにした請求項１記載の鞄。
【請求項３】
下層壁（２）を透明とし、下層壁（２）の下側に反射板を当接させ、孔（３）から入射した光が反射板で反射するようにした請求項１又は２記載の鞄。
【請求項４】
下層壁（２）の下側に、反射板を挿脱可能なポケット（８）を設けた請求項３記載の鞄。
【考案の詳細な説明】
【技術分野】
【０００１】
この考案は、ランドセル等の鞄に関するものである。
【背景技術】
【０００２】
鞄、特にランドセルは、鞄としての最低限の機能を果たすだけでなく、より付加価値の高いものが求められる傾向にあり、その１つとして、装飾目的や交通事故防止のため、ビーズ等の装飾体を設けたものがある（例えば特許文献１）。
【０００３】
しかし、装飾体を鞄表面から露出する態様で設けると、装飾体が何かとの接触により脱落したり、破損したり、あるいは装飾体が接触した物を傷つけたりする恐れがあった。
【先行技術文献】
【特許文献】
【０００４】
【特許文献１】特開２００８−９３０２７号公報
【考案の概要】
【考案が解決しようとする課題】
【０００５】
そこで、この考案は、装飾体が接触により脱落したり、破損したり、あるいは接触した物を傷つけたりしないようにした鞄を提供することを課題とする。
【課題を解決するための手段】
【０００６】
前記課題を解決するため、この考案は次のような技術的手段を講じている。
【０００７】
この考案の鞄は、上層壁１と下層壁２を積層し、上層壁１に孔３を設け、前記孔３から下層壁２に接着させた装飾体４が見えるようにした部分を有するものとしている。
【０００８】
上層壁１の上面より装飾体４が突出しないようにすることができる。
【０００９】
下層壁２を透明とし、下層壁２の下側に反射板を当接させ、孔３から入射した光が反射板で反射するようにすることもできる。
【００１０】
下層壁２の下側に、反射板を挿脱可能なポケット８を設けることもできる。
【００１１】
また、上層壁１が、皮革素材からなる表側生地１ａと、繊維素材からなる裏側生地１ｂからなるものとすることもできる。
【考案の効果】
【００１２】
この考案の鞄は、上述のような構成を有しており、装飾体４が、上層壁１の下に積層された下層壁２に接着されているので、装飾体４の突出度合いが小さくなり、装飾体４が接触により脱落したり、破損したり、あるいは接触した物を傷つけたりすることが防止される。
【００１３】
また、下層壁２を透明とし、下層壁２の下側に反射板を当接させ、孔３から入射した光が反射板で反射するようにすれば、装飾体４を光によって引き立たせることができる。
【００１４】
下層壁２の下側に、反射板を挿脱可能なポケット８を設ければ、適宜反射板を交換することが容易であり、装飾体４の効果を変化させることができる。
【図面の簡単な説明】
【００１５】
【図１】この考案の実施形態の鞄の斜視図である。
【図２】この考案の実施形態の鞄の一部の分解斜視図である。
【図３】この考案の実施形態の鞄の内部の説明図である。
【図４】この考案の実施形態の鞄の一部の断面図である。
【考案を実施するための形態】
【００１６】
以下、この考案の好適な実施形態を、図面を参照して説明する。
【００１７】
この鞄は、上層壁１に下層壁２を積層し、上層壁１に孔３を設け、当該孔３から下層壁２に接着させた装飾体４が見えるようにした部分を有するものである。この実施形態ではランドセルとしているが、その他の背負い鞄、手提げ鞄等として実施することができる。なお、上層壁１、下層壁２の上下は、便宜上、図２、図４における向きを基準としている。
【００１８】
この鞄の基本的な構成は、図１に示したように一般的なランドセルと同様であり、背板、両側板、底板および前板により形成された上面が開口した箱状の主収納部５を有しており、主収納部５の前方に副収納部６が設けられたものとしている。
【００１９】
この実施形態における装飾体４が見えるようにした部分は、副収納部６の前面であり、装飾体４は、前記副収納部６の前面を構成する壁を利用して取り付けられている。前記壁は、積層された上層壁１と下層壁２により構成されている。
【００２０】
上層壁１は、皮革素材で形成された表側生地１ａと、繊維素材で形成された裏側生地１ｂからなる。皮革素材は人工皮革でもよい。繊維素材は、適宜の合成繊維や天然繊維からなるものとすることができる。
【００２１】
表側生地１ａは、副収納部６の全体形状を構成するものであり、外側に露出する。裏側生地１ｂは、表側生地１ａと同じ大きさである必要はなく、装飾体４を含む領域をカバーする大きさでよい。
【００２２】
下層壁２は、透明なプラスチック製のシートからなるものとしている。下層壁２の材質は、接着剤により装飾体４をしっかりと固定させることができるものであればよい。
【００２３】
装飾体４は、光が透過する又は反射するガラス、プラスチック、天然石等からなる粒状のビーズとしている。装飾体４は、下層壁２の上面に接着剤等により固定される。下層壁２に接着された装飾体４が、上層壁１の上面より突出しないように、装飾体４の大きさや上層壁１の厚みが調整されている。
【００２４】
図２に示したように、上層壁１の表側生地１ａと裏側生地１ｂ、下層壁２、そしてポケット用生地７が、上から順に重ねられ、図１、図３に示したように縫製されて、主収納部５の開口部と同じ側（図１の上方）に開口したポケット８を構成している。
【００２５】
この実施形態では、上層壁１の略中央部に比較的大きい窓９とその下方の小さな窓１０を形成し、その周囲に、ハート形になるように７つの小さな孔３を設けており、前記７つの孔３の周囲に縫製箇所１１が形成されている。
【００２６】
前記ポケット８は、下層壁２の下側に位置し、反射板（図示せず）を挿脱可能としている。反射板は、プラスチック、紙等からなるプレートの一面に、金属反射層等を設けたものであり、孔３から入射した光を光源の方向へ反射する性質を有するものとすることができる。
【００２７】
このランドセルは、通常は被せ１２により副収納部６の前面が覆われた状態にして背負うようにしているが、被せ１２を開くと、副収納部６の前面における装飾体４が見えるようにした部分があらわれ、前記反射板により照らされた装飾体４が美しく光って見栄えのよいものとなる。
【００２８】
また、副収納部６の前面が露出したままでも、装飾体４は上層壁１の上面より下方の下層壁２に固定されているため、突出度合いが小さく、何かとの接触により脱落したり、破損したり、あるいは接触した物を傷つけたりすることが防止されるようになっている。
【００２９】
以上がこの考案の好適な実施形態であるが、この考案は上述の実施形態の構成に限定されるものではなく、形状、寸法、材質等を適宜変更して実施することができる。
【符号の説明】
【００３０】
１  上層壁
２  下層壁
３  孔
４  装飾体
８  ポケット
【図１】
0003159637.tif 000003
【図２】
0003159637.tif 000004
【図３】
0003159637.tif 000005
【図４】
0003159637.tif 000006